(57)【要約】      （修正有）【課題】転てつ棒取付ボルトの締結作業を一人の作業員で行うことができ、また作業時間の短縮も可能なウイット用供廻り防止具を提供する。【解決手段】片手で起立部を握り、転てつ棒取付ボルト１８の頭部に第１のスパナ部を掛止し、第２のスパナ部２６を円弧状スライド孔２７や直線状スライド孔２８の各長さ方向へスライドさせて、第２のスパナ部２６を下側のナット１５に掛止する。その後、別の手で手締め式ボルトナット構造体３０を締め付け、第２のスパナ部２６を固定する。この状態で、一般的なスパナでロックナットをねじ込み、ナット１５を緩めたままロックナットを締める。その結果、転てつ棒取付ボルト１８の締結作業が一人の作業員ででき、作業時間も短縮する。【選択図】図１
0003221078.tif 000002
【実用新案登録請求の範囲】
【請求項１】
ウイットねじＮレール用分岐器のトングレールに固定された連結板と、分岐操作用の転てつ棒とを、下側のナットおよび上側のロックナットを有したダブルナットと、頭部が下向きの転てつ棒取付ボルトとにより、上下方向から締結する際に利用されるウイット用供廻り防止具であって、
前記転てつ棒取付ボルトの頭部に掛止される第１のスパナ部と、該第1のスパナ部の基端部に下端部が連結された起立部と、該起立部の上端部に前記第１のスパナ部と平行に連結されて、平面視して前記第1のスパナ部の開口中心部を中心とした円弧状スライド孔が上下面を貫通して形成されたガイド板部とを有している供廻り防止具本体と、
前記下側のナットに掛止可能で、柄部の長さ方向に延びる直線状スライド孔が前記柄部に形成された第２のスパナ部と、
前記円弧状スライド孔と前記直線状スライド孔とに挿通されるボルトを有して、前記第２のスパナを前記ガイド板部の上面に沿ってスライド可能に締結する手締め式ボルトナット構造体とを備えたウイット用供廻り防止具。
【請求項２】
前記第1のスパナ部の開口した頭部の下側には、前記転てつ棒取付ボルトの頭部を受ける受け板片を設けた請求項１に記載のウイット用供廻り防止具。
【考案の詳細な説明】
【技術分野】
【０００１】
この考案は、ウイット用供廻り防止具、詳しくはウイットねじＮレール用分岐器において、トングレールに固定された連結板と、分岐操作用の転てつ棒とを連結する転てつ棒取付ボルトとの締結時に使用されるウイット用供廻り防止具に関する。
【背景技術】
【０００２】
Ｎレール方式の一対の基本レールからなる軌道には、一線から他線へ鉄道車両を転線させる軌道構造として、ウイットねじＮレール用分岐器が設けられている。この分岐器は、転てつ棒によって２本のトングレールを相互に連結し、電気転てつ機により転てつ棒を軌間方向にスライドさせ、各トングレールを転換してポイントを本線側軌道と分岐線側軌道との間で切り換えるものである。
【０００３】
具体的なトングレールと転てつ棒との連結は、まずトングレールと連結板の基端部とをボルト連結し、その後、連結板の先端部を、転てつ棒の対応する端部と、この端部付近の上面に基端部が固定された押さえブラケットの先端部との間に嵌め込む。次いで、転てつ棒、連結板および押さえブラケットにそれぞれ形成された各連通孔に転てつ棒取付ボルトを下から差し込み、押さえブラケットの上面から突出したボルト先端部にダブルナットを螺合する。その後、転てつ棒の端部の一部分に、転てつ棒取付ボルトの頭部の受け板部を有したクリップ状の脱落防止金具を側方から嵌着するものである。
転てつ棒取付ボルトのダブルナットによる締結に際しては、トングレールに繋がる連結板の回転が容易なように、下側のナットは緩く締結し、スプリングワッシャを介して上側のロックナットによりロックしている。
【先行技術文献】
【特許文献】
【０００４】
【特許文献１】特開２００３−１９３４０１号公報
【考案の概要】
【考案が解決しようとする課題】
【０００５】
しかしながら、上述したロックナットの締結時には、一人の作業員がスパナにより下側のナットの供廻りを防止しながら、もう一人の作業員が別のスパナにより上側のロックナットの締め付けを行う必要があった。そのため、転てつ棒取付ボルトの締結作業に二人の作業者が必要であり、近年は熟練者が揃いにくいことから、作業時間も長くなっていた。
【０００６】
そこで、考案者は鋭意研究の結果、ロックナットの締結時において、下側のナットの供廻りをウイット用供廻り防止具により防止すれば、上述した課題はすべて解消されることを知見し、この考案を完成させた。
【０００７】
すなわち、この考案は、転てつ棒取付ボルトの締結作業を一人の作業員で行うことができ、また作業時間の短縮も可能なウイット用供廻り防止具を提供することを目的としている。
【課題を解決するための手段】
【０００８】
請求項１に記載の考案は、ウイットねじＮレール用分岐器のトングレールに固定された連結板と、分岐操作用の転てつ棒とを、下側のナットおよび上側のロックナットを有したダブルナットと、頭部が下向きの転てつ棒取付ボルトとにより、上下方向から締結する際に利用されるウイット用供廻り防止具であって、前記転てつ棒取付ボルトの頭部に掛止される第１のスパナ部と、該第1のスパナ部の基端部に下端部が連結された起立部と、該起立部の上端部に前記第１のスパナ部と平行に連結されて、平面視して前記第1のスパナ部の開口中心部を中心とした円弧状スライド孔が上下面を貫通して形成されたガイド板部とを有している供廻り防止具本体と、前記下側のナットに掛止可能で、柄部の長さ方向に延びる直線状スライド孔が前記柄部に形成された第２のスパナ部と、前記円弧状スライド孔と前記直線状スライド孔とに挿通されるボルトを有して、前記第２のスパナを前記ガイド板部の上面に沿ってスライド可能に締結する手締め式ボルトナット構造体とを備えたウイット用供廻り防止具である。
【０００９】
ウイットねじＮレール用分岐器とは、Ｎレール方式の軌道に配されて、一線から他線へ鉄道車両を転線させる軌道構造体で、転てつ棒によって２本のトングレールを相互に連結し、電気転てつ機の作動によって転てつ棒を軌間方向にスライドさせ、各トングレールを転換してポイントを本線側軌道と分岐線側軌道との間で切り換えるものである。
【００１０】
ウイット用供廻り防止具とは、ロックナットの締結時において、下側のナットの供廻りを防止する器具である。
供廻り防止具本体を構成する第１のスパナ部と起立部とガイド板部とは、同一部材による一体形成でも、別体による形成でもよい。
ガイド板部の形状は任意である。例えば、枠板状でもよい。
ガイド板部の起立部との連結部分は任意である。例えば、ガイド板部の長さ方向の中間部でも、その一端部でもよい。
円弧状スライド孔の弧度は任意である。例えば、３０°〜１２０°でもよい。
【００１１】
第２のスパナ部の長さは任意である。例えば、第１のスパナ部と同じでもよい。
第２のスパナ部の柄部に形成された直線状スライド孔の長さも任意である。
手締め式ボルトナット構造体としては、例えば、蝶ボルトとナットの組み合わせのものでも、ボルトと蝶ナットの組み合わせのものでもよい。
下側のナット、上側のロックナットおよび転てつ棒取付ボルトの頭部の形状は任意である。例えば、四角形、六角形などを採用することができる。これらに掛止される第１のスパナ部および第２のスパナ部の各開口部の形状も同様である。
【００１２】
また、請求項２に記載の考案は、前記第1のスパナ部の開口した頭部の下側には、前記転てつ棒取付ボルトの頭部を受ける受け板片を設けた請求項１に記載のウイット用供廻り防止具である。
受け板片の素材は限定されない。例えば、第２のスパナと同じでもよい。
【考案の効果】
【００１３】
請求項１に記載の考案によれば、例えば、ウイットねじＮレール用分岐器の細密検査の終了に際して、トングレールと転てつ棒とを、ダブルナットおよび転てつ棒取付ボルトを用いて上下方向から締結する。
具体的には、一人の作業員が一方の手で起立部を握り、供廻り防止具本体を適宜移動させて、転てつ棒取付ボルトの頭部に第１のスパナ部を掛止する。次いで、手締め式ボルトナット構造体を緩めた状態で、第２のスパナ部を、ガイド板部の上面に沿って、円弧状スライド孔の長さ方向や直線状スライド孔の長さ方向へ適宜スライドさせ、最終的に、第２のスパナ部を下側のナットに掛止する。このとき、下側ナットは、トングレールに繋がる連結板の回転が容易なように、転てつ棒取付ボルトの先端部に緩く螺合されている。
その後、同じ作業者が、他方の手で手締め式ボルトナット構造体を締め付けて、第２のスパナ部をガイド板部に固定する。これにより、ウイット用供廻り防止具を利用して、転てつ棒取付ボルトの頭部と下側のナットとが、それぞれ供廻りしないように位置決めされる。
【００１４】
次いで、この状態を維持して、同じ作業員が別の手で握ったスパナを使用し、上側のロックナットを転てつ棒取付ボルトの先端部に大きな力でねじ込む。これにより、転てつ棒取付ボルトに対して下側のナットを緩く螺合したまま、ロックナットにより連結板が転てつ棒にロックされる。
その結果、転てつ棒取付ボルトの締結作業を一人の作業員で行うことができるとともに、その作業時間も、熟練者が揃いにくい従来の２人での作業の場合に比べて短縮することが可能となる。
【００１５】
特に、請求項２に記載の考案によれば、第1のスパナ部の開口した頭部の下側に受け板片を設けたため、転てつ棒取付ボルトを転てつ棒と連結板との各貫通孔に下から差し込み、この転てつ棒取付ボルトの頭部に第１のスパナ部を掛止することで、それ以降、受け板片により転てつ棒取付ボルトの自重落下を防止することができる。
【図面の簡単な説明】
【００１６】
【図１】この考案の実施例１に係るウイット用供廻り防止具の使用状態を示す平面図である。
【図２】この考案の実施例１に係るウイット用供廻り防止具の斜視図である。
【図３】この考案の実施例１に係るウイット用供廻り防止具の使用状態の側面図である。
【考案を実施するための形態】
【００１７】
以下、この考案の実施例を具体的に説明する。ここでは、ウイットねじＮレール用分岐器の細密検査後に行われる、トングレールと転てつ棒との締結作業に使用されるもの例とする。
【実施例】
【００１８】
図１に示すように、この考案の実施例１に係るウイット用供廻り防止具１０は、ウイットねじＮレール用分岐器１１のトングレール１２に固定された連結板１３と、分岐操作用の転てつ棒１４とを、下側のナット１５および上側のロックナット１６を有したダブルナット１７と、頭部１８ａが下向きの転てつ棒取付ボルト１８とによって上下方向から締結する際に利用されるものである。
【００１９】
まず、トングレール１２と転てつ棒１４との連結構造を説明する。
図１および図２に示すように、トングレール１２にボルト連結された連結板１３の先端部は、転てつ棒１４の対応する端部と、この端部付近の上面に固定（溶接）された押さえブラケット１９の先端部との間に嵌め込まれている。この状態で、転てつ棒１４、連結板１３および押さえブラケット１９にそれぞれ形成された各貫通孔１４ａ、１３ａ、１９ａに、六角ボルトの転てつ棒取付ボルト１８が下から挿入されている。このとき、押さえブラケット１９の上面から突出した状態のボルト先端部には、それぞれが六角ナットの下側のナット１５と上側のロックナット１６とからなるダブルナット１７が、スプリングワッシャ２０を介して螺合されている。また、転てつ棒１４のうち、押さえブラケット１９の固定箇所付近には、転てつ棒取付ボルト１８の頭部１８ａの受け板部２１ａを有したクリップ状の脱落防止金具２１が、側方から嵌着されている。
【００２０】
次に、図１〜図３を参照して、ウイット用供廻り防止具１０を具体的に説明する。
図２および図３に示すように、ウイット用供廻り防止具１０は、転てつ棒取付ボルト１８の頭部１８ａに掛止される第１のスパナ部２２と、第１のスパナ部２２の基端部に下端部が直角に連結された起立部（グリップ部）２３と、起立部２３の上端部に第１のスパナ部２２と平行に連結されたガイド板部２４とを有した供廻り防止具本体２５と、下側のナット１５に掛止可能な第２のスパナ部２６と、円弧状スライド孔２７と直線状スライド孔２８とに挿通される小ボルト（ボルト）２９を有して、第２のスパナ部２６をガイド板部２４の上面に沿ってスライド可能に締結する手締め式ボルトナット構造体３０とを備えている。
【００２１】
以下、これらの構成体を具体的に説明する。
第１のスパナ部２２と起立部２３とは、鋼材により一体形成されている。第１のスパナ部２２の開口した頭部２２ａの下側には、転てつ棒取付ボルト１８の頭部１８ａを受ける受け板片３１が、開口を横断するように連結されている。また、起立部２３は細長い板状のもので、使用時における供廻り防止具本体（ウイット用供廻り防止具１０）２５のグリップとなる。
【００２２】
ガイド板部２４は、平面視して第１のスパナ部２２の開口中心部を中心とした円弧状の鋼板で、その長さ方向の中間部が起立部２３の上端部に連結されている。また、ガイド板部２４の長さ方向の両端部を除いた領域全体には、その幅方向の中間部に、平面視して第１のスパナ部２２の開口中心部を中心として円弧状に湾曲する円弧状スライド孔２７が、このガイド板部２４の上下面を貫通して形成されている。円弧状スライド孔２７の弧度は、起立部２３との連結箇所を中心にして左右に３０°ずつ、合計６０°である。
供廻り防止具本体２５は、第１のスパナ部２２、起立部２３およびガイド板部２４を、略横向きＪの字状に連結したものである（図２）。
第２のスパナ部２６は、第１のスパナ部２２と略同一長さのもので、鋼材からなる。
第２のスパナ部２６の柄部２６ａには、その略全長にわたって、上下面を貫通した直線状スライド孔２８が形成されている。
【００２３】
手締め式ボルトナット構造体３０は、小ボルト２９と蝶ナット３２と上下一対のワッシャ３３とを有している。この手締め式ボルトナット構造体３０を用いた第２のスパナ部２６のガイド板部２４に対する取り付けは、まず上側のワッシャ３３の孔と、第２のスパナ部２６の直線状スライド孔２８と、ガイド板部２４の円弧状スライド孔２７と、下側のワッシャ３３の孔とに下方から小ボルト２９を差し込み、その後、上側のワッシャ３３から突出した小ボルト２９の先端部に、蝶ナット３２を螺合することでなされる。
【００２４】
次に、図１〜図３を参照して、実施例１のウイット用供廻り防止具１０の使用方法を説明する。
図１に示すように、ウイットねじＮレール用分岐器１１の細密検査時には、まず、転てつ棒１４から脱落防止金具２１を外すとともに、転てつ棒取付ボルト１８の先端部からダブルナット１７、スプリングワッシャ２０をそれぞれ外す。これにより、転てつ棒取付ボルト１８を、押さえブラケット１９、連結板１３および転てつ棒１４の各貫通孔１９ａ、１３ａ、１４ａから自重落下により取り外し、その後、ウイットねじＮレール用分岐器１１の細密検査を行う。
検査終了後は、上述した作業とは反対に、転てつ棒取付ボルト１８を転てつ棒１４、連結板１３および押さえブラケット１９の各貫通孔１４ａ、１３ａ、１９ａにそれぞれ下から差し込む。その後、ウイット用供廻り防止具１０を利用して、トングレール１２と転てつ棒１４とを、ダブルナット１７および転てつ棒取付ボルト１８により上下方向から締結する。このとき、下側のナット１５のみは、トングレール１２に繋がる連結板１３の回転が容易なように、手締めによって転てつ棒取付ボルト１８に緩く螺合される。
【００２５】
以下、この締結作業を具体的に説明する。
あらかじめ、ウイット用供廻り防止具１０の手締め式ボルトナット構造体３０を緩めて、第２のスパナ部２６を、ガイド板部２４の上面に沿って、直線状スライド孔２８の長さ方向の起立部２３側にスライド（退避）させておく。
その後、一人の作業員が起立部２３を片手で握って供廻り防止具本体２５を移動し、第１のスパナ部２２を転てつ棒取付ボルト１８の頭部１８ａに斜め方向から掛止する（図１）。このとき、第１のスパナ部２２の開口部分の受け板片３１が、頭部１８ａの端面に当てがわれ、これを下方から支持する。
【００２６】
次に、この状態を維持して、同一の作業者が、下側のナット１５を転てつ棒取付ボルト１８の上端部に手締めする。その後、第２のスパナ部２６の頭部２６ｂが手締め状態の下側のナット１５に嵌め込み可能な角度位置まで、第２のスパナ部２６をガイド板部２４の上面に沿って、円弧状スライド孔２７の長さ方向へ適宜スライドさせるととに、第２のスパナ部２６を、ガイド板部２４の上面に沿って、直線状スライド孔２８の長さ方向のナット１５側にスライドさせる。これにより、最終的には第２のスパナ部２６を、転てつ棒取付ボルト１８に螺合された下側のナット１５に掛止（外嵌）する。
その後、手締め式ボルトナット構造体３０の蝶ナット３２を締めて、第２のスパナ部２６をガイド板部２４に固定する。これにより、ウイット用供廻り防止具１０を利用して、転てつ棒取付ボルト１８の頭部１８ａと下側のナット１５とが、それぞれ供廻りしないように位置決めされる。
【００２７】
ここでは、このように第２のスパナ部２６が、ガイド板部２４の上面に沿って、弧度６０°の円弧状スライド孔２７の長さ方向へスライド自在に構成されているため、正六角形の下側のナット１５が転てつ棒取付ボルト１８の先端部に対してどのような角度で螺合されても、支障なく第２のスパナ部２６をこれに掛止することができる。また、第２のスパナ部２６が、ガイド板部２４の上面に沿って、直線状スライド孔２８の長さ方向にスライド自在であるため、第２のスパナ部２６を転てつ棒取付ボルト１８の頭部１８ａに自在に抜き差しすることができる。
【００２８】
その後、この状態を維持して、下側のナット１５から突出した転てつ棒取付ボルト１８の上端部分に、スプリングワッシャ２０とロックナット１６とを順次装着し、同じ作業員が、図示しない一般的なスパナを使用し、上側のロックナット１６を転てつ棒取付ボルト１８の先端部に大きな力で締め付ける。これにより、転てつ棒取付ボルト１８に対して下側のナット１５を緩くねじ込んだ状態のまま、連結板１３が転てつ棒１４に堅固にロックされる。
ロックナット１６の締結後は、起立部２３を握って、転てつ棒取付ボルト１８の頭部１８ａから第１のスパナ部２２を引き抜くとともに、下側のナット１５から第２のスパナ部２６を引き抜く。
その後、転てつ棒１４のうち、押さえブラケット１９の固定箇所付近に、転てつ棒取付ボルト１８の頭部１８ａの受け板部２１ａが形成された脱落防止金具２１を、側方から嵌着する（ｚ。
【００２９】
このようにしたため、転てつ棒取付ボルト１８のダブルナット１７による締結作業を一人の作業員だけで行うことができる。しかも、近年の熟練者が揃いにくい２人での締結作業に比べて、この作業に要する時間を短縮することができる。
また、第１のスパナ部２２の開口した頭部２２ａに受け板片３１を設けたため、転てつ棒取付ボルト１８を、転てつ棒１４、連結板１３、押さえブラケット１９の各貫通孔１４ａ、１３ａ、１９ａに下から差し込み、この転てつ棒取付ボルト１８の頭部１８ａに第１のスパナ部２２を掛止することで、それ以降、受け板片３１により転てつ棒取付ボルト１８の自重落下を防止することができる。
【産業上の利用可能性】
【００３０】
この考案のウイット用供廻り防止具は、ウイットねじＮレール用分岐器のトングレールに固定された連結板と転てつ棒取付ボルトとを締結する際に有用な技術である。
【符号の説明】
【００３１】
１０  ウイット用供廻り防止具、
１１  ウイットねじＮレール用分岐器、
１２  トングレール、
１３  連結板、
１４  転てつ棒、
１５  ナット、
１６  ロックナット、
１７  ダブルナット、
１８  転てつ棒取付ボルト、
１８ａ  頭部、
２２  第１のスパナ部、
２２ａ  頭部、
２３  起立部、
２４  ガイド板部、
２５  供廻り防止具本体、
２６  第２のスパナ部、
２６ａ  柄部、
２７  円弧状スライド孔、
２８  直線状スライド孔、
２９  小ボルト（ボルト）、
３０  手締め式ボルトナット構造体、
３１  受け板片。
【図１】
0003221078.tif 000003
【図２】
0003221078.tif 000004
【図３】
0003221078.tif 000005